(57)【要約】【課題】端子部の配置に必要な空間と消弧装置の配置に必要な空間を重複させること。【解決手段】電線を接続する電線接続部３と、固定接点４２を備えた固定接触子４と、可動接点５２を備えた可動接触子５と、固定接触子と可動接触子との間に発生するアークを消弧する消弧装置６と、を有する配線用遮断器であって、電線接続部と固定接触子との間に設けた空間部８に消弧装置を配置した構成とする。【選択図】図３
2017204428.tif 000002
【特許請求の範囲】
【請求項１】
電線を接続する電線接続部と、固定接点を備えた固定接触子と、可動接点を備えた可動接触子と、固定接触子と可動接触子との間に発生するアークを消弧する消弧装置と、を有する配線用遮断器であって、電線接続部と固定接触子との間に設けた空間部に前記消弧装置を配置した配線用遮断器。
【請求項２】
一連の部材を同方向に屈曲させて前記電線接続部と前記固定接触子とを形成し、前記空間部を電線接続部と固定接触子との間に設けた請求項１に記載の配線用遮断器。
【請求項３】
前記電線接続部と、前記固定接触子とで前記消弧装置を挟持する請求項１又は２に記載の配線用遮断器。
【請求項４】
前記電線接続部と前記固定接触子のどちらか一方に係止部を設け、前記消弧装置に被係止部を設けた請求項３に記載の配線用遮断器。
【発明の詳細な説明】
【技術分野】
【０００１】
本発明は、配線用遮断器に関するものである。
【背景技術】
【０００２】
従来から、配線用遮断器の内部に、アークを 消弧する消弧装置を配置することが知られている。図１３に記載されているように、配線用遮断器１００の内部に配置された消弧装置１０５は、一般的に、電線を固定する電線接続部１０６に対して縦方向に並ぶように配置されていた。また、固定接触子１０２と電線接続部１０６を備えた端子部１０３は階段状に屈曲形成していた。このような配線用遮断器は特許文献１にも記載されている。
【先行技術文献】
【特許文献】
【０００３】
【特許文献１】特開２０１２−１２３９３７号公報
【０００４】
しかしながら、図１３や特許文献１に示されたような構成であると、端子部を配置するために必要な空間とは別に消弧装置を配置する空間が必要となる。これは、配線用遮断器が縦方向に長くなったり、配線用遮断器の内部空間を圧迫したりする原因の一つとなっていた。
【発明の概要】
【発明が解決しようとする課題】
【０００５】
本件の発明者は、この点について鋭意検討することにより、解決を試みた。本発明の課題は、端子部の配置に必要な空間と消弧装置の配置に必要な空間を重複させることである。
【課題を解決するための手段】
【０００６】
上記課題を解決するため、次のような手段を採用する。第一の手段は、電線を接続する電線接続部と、固定接点を備えた固定接触子と、可動接点を備えた可動接触子と、固定接触子と可動接触子との間に発生するアークを消弧する消弧装置と、を有する配線用遮断器であって、電線接続部と固定接触子との間に設けた空間部に前記消弧装置を配置した配線用遮断器である。
【０００７】
第一の手段において、一連の部材を同方向に屈曲させて前記電線接続部と前記固定接触子とを形成し、前記空間部を電線接続部と固定接触子との間に設けた構成とする第二の手段が好ましい。
【０００８】
第一又は第二の手段において、前記電線接続部と、前記固定接触子とで前記消弧装置を挟持する構成とする第三の手段が好ましい。
【０００９】
第三の手段において、前記電線接続部と前記固定接触子のどちらか一方に係止部を設け、前記消弧装置に被係止部を設けた構成とする第四の手段が好ましい。
【発明の効果】
【００１０】
本発明では、端子部の配置に必要な空間と消弧装置の配置に必要な空間を重複させることが可能となる。
【図面の簡単な説明】
【００１１】
【図１】第一の実施の形態の配線用遮断器の斜視図である。
【図２】第一の実施の形態の配線用遮断器の可動接触子から電線接続部周りの斜視図である。
【図３】図２のＩＩＩ−ＩＩＩ断面図である。
【図４】第一の実施の形態の消弧装置の斜視図である。
【図５】第一の実施の形態の端子部の斜視図である。
【図６】端子部をベース部に取り付ける前の状態を表した図である。
【図７】端子部をベース部に取り付けた後の状態を表した図である。
【図８】図２から端子部と消弧装置を取り外した状態を示した斜視図である。
【図９】図３から端子部と消弧装置を取り外した状態を示した断面図である。
【図１０】第一の実施の形態の固定接点から電線接続部周りの斜視図である。
【図１１】第一の実施の形態の固定接点から電線接続部周りの側面図である。
【図１２】第二の実施の形態の可動接触子から電線接続部周りの斜視図である。
【図１３】従来技術における配線用遮断器の断面図である。
【発明を実施するための形態】
【００１２】
以下に発明を実施するための形態を示す。図１は第一の実施の形態の配線用遮断器１の斜視図である。図２は第一の実施の形態の配線用遮断器１の可動接触子５から電線接続部３周りの斜視図である。図３は図２のＩＩＩ−ＩＩＩ断面図である。なお、本明細書においては図１で示した矢印が延びる方向が縦方向である。
【００１３】
本実施の形態の配線用遮断器１は、電線を接続する電線接続部３を備えている。また、可動接点５２を備えた可動接触子５と、固定接点４２を備えた固定接触子４と、を備えている。この固定接点４２と可動接点５２が 解離する際に発生するアーク放電を取り除くため、本実施の形態の配線用遮断器１は消弧装置６を有している。
【００１４】
図４は、第一の実施の形態の消弧装置６の斜視図である。消弧装置６は紙などの絶縁体で形成した側板６２を備えている。また、この側板６２に挟持される複数の消弧板６３を備えている。本実施の形態の消弧装置６においては三枚の消弧板６３が備えられており、斜め上方に傾斜するように配置されている。また、本実施の形態の消弧装置６には、電線の接続に使用される図示しない端子ネジと消弧板６３との絶縁性を確保するため、消弧装置６の上部に絶縁性の保護板部６４が形成されている。本実施の形態の保護板部６４は絶縁性のプレートで形成されており、電線固定部３に対して平行に位置することが可能なように側板６２に固定されている。なお絶縁体はアークガスを発生する部材で構成してもよい。
【００１５】
図５は、第一の実施の形態の端子部２２の斜視図である。端子部２２は一方端に電線接続部３を配置し、他端に固定接点４２を配置する構成となっている。端子部２２は、電線接続部３から固定接触子４まで続く一体の部材を折曲げることで、電路を構成している。端子部２２は、その電路の中間に傾斜部２３を備え、ベース部１２にもそれに対応した傾斜部位２４を備えている。固定接触子４の中央には、切欠部２５を形成しており、それに対応する位置のベース部１２に排出口を形成することで、アーク発生時に生じるアークガスを配線用遮断器１の外部に排出することができる。
【００１６】
端子部２２は、その電路の中間部が電線接続部３、固定接触子４よりも細く形成されている。一方、図６に示すように、ベース部１２には、それに対応するように切欠き７６を設けている。図７に示すように、細く形成されている部分を切欠き７６に収めた状態で、端子部２２をベース部１２に固定する。また、ベース部１２の切欠き７６や切欠き７６周縁に排出口を形成することで、アーク発生時に生じるアークガスを外部に排出するようにしてもよい。ベース部１２には、端子部２２を取付ける。図８及び図９に示すように、ベース部１２には、端子部２２の形状に対応する取付部２７を有する。隣接する取付部２７との間に設けられるリブ２８によって、異極間での短絡事故を防止することができる。
【００１７】
本実施の形態の配線用遮断器１は、電線接続部３と固定接触子４との間に設けた空間部８にこの消弧装置６を配置している。このため、端子部２２の配置に必要な空間と消弧装置６の配置に必要な空間を重複させることが可能となる。したがって、配線用遮断器１の縦方向の長さを短くすることが可能となっている。また、配線用遮断器１の縦方向の長さが同じ場合であっても、空間部８に消弧装置６を配置することで、従来消弧装置が配置されていた配線用遮断器１の内部空間を有効に活用することが可能となっている。
【００１８】
ところで、本実施の形態の配線用遮断器１には三つの固定接触子４が備えられており、各々の固定接触子４に隣接して三つの消弧装置６が配置されている。また、本実施の形態の消弧装置６は固定接触子４の上方に配置されており、消弧装置６の上方に電線接続部３が位置している。つまり、固定接触子４と電線接続部３で消弧装置６を挟み込むような形態としている。図５に示すように、本実施の形態の固定接触子４と電線接続部３は各々、導電体である端子部２２に形成されており、図４、５、１０に示したことから理解されるように、板状の端子部２２を略Ｕ字状に屈曲して消弧装置６を配置する空間部８を形成している。
【００１９】
図３に示すように、本実施の形態の配線用遮断器１は、ベース部１２の上に端子部２２が配置されている。より詳しくは、端子部２２はこのベース部１２の端に配置されている。また、端子部２２の両端は、端子部２２の中央の部位よりもベース部１２の中央部寄りの位置に配置されている。また、可動接触子５と消弧装置６は縦方向に順に並ぶように並列に配置されており、固定接点４２と消弧装置６も縦方向に順に並ぶように並列配置されている。
【００２０】
本実施の形態においては、図１０に示すように電線接続部３と固定接触子４とで消弧装置６を挟持している。したがって、配線用遮断器１の内部に備えられた電線接続部３と固定接触子４で、消弧装置６を固定することが可能となる。また、消弧装置６を電線接続部３と固定接触子４に固定した状態で配線用遮断器１の内部に組み込むことができるため、配線用遮断器１の組み立ての効率を上げることが可能となる。
【００２１】
また、図１０及び図１１に示したことから理解されるように、本実施の形態においては、電線接続部３に係止部７２を設け、消弧装置６に被係止部７４を設けている。この係止部７２と被係止部７４は消弧装置６が挟持される方向とは異なる方向で接触するように構成されている。このため、更に強固に消弧装置６を固定することが可能となる。なお、電線接続部３と消弧装置６を係止させる形態ではなく、固定接触子４と消弧装置６を係止させる形態にすることも可能である。また、消弧装置６が電線接続部３と固定接触子４の双方と係止する形態にしても良い。
【００２２】
次に、第二の実施の形態について説明する。本実施の形態においては、図１２に示すように、電線接続部３及びその周囲の形態が第一の実施の形態と異なっている。第二の実施の形態においては、板バネを用いて電線を固定可能としている。より具体的には、筐体１４の側面に形成された電線挿入穴９２に挿入された、先端の被覆が剥かれた図示しない電線を、鎖錠バネ端子９４として形成された板バネにより端子板９６に押し付けて固定可能としている。
【００２３】
端子板９６は導電性であり、固定接触子４とも接触している。つまり、端子板９６は固定接触子４と電線との間に介在して電路の役割を果たすとともに、電線を挟み込むための部材としての役割も果たしている。
【００２４】
本実施の形態では鎖錠バネ端子９４と端子板９６により電線を挟み込む部位が電線接続部３であり、消弧装置６の上方に位置している。本実施の形態の消弧装置６は固定接点４２を備える固定接触子４と電線接続部３との間に設けた空間部８に位置している。なお、本実施の形態においては、鎖錠バネ端子９４の両端側で電線を端子板９６に押し付けることが可能な態様となっている。
【００２５】
以上、二つの実施の形態について説明してきたが、本発明は上記実施の形態に限定されることはなく、各種の態様とすることが可能である。例えば、空間部の形状は実施の形態で示したような形態に限る必要はなく、消弧装置に対応する形状であればよい。例えば、側面視で複数の凹凸を備えるような形状とすることも可能である。
【００２６】
ネジ固定式の電線接続部であっても、電線接続部と固定接触子は一体として形成する必要は無く、別体で形成することも可能である。例えば、電線接続部と固定接触子を別体として形成し、各々を電線などで連結させる形態とすることも可能である。
【００２７】
消弧板と端子ネジとの絶縁性を確保するために設ける保護板部は、側板と一体に形成することも可能である。例えば、絶縁性の部材を側面視矩形状に折り曲げれば、保護板部と側板を一体に形成することが可能となる。
【００２８】
消弧装置に設けた被係止部と係止する係止部の位置や形状は各種の態様とすることが可能である。
【００２９】
消弧板の枚数や設置方法を実施の形態通りにする必要は無く、各種態様とすることが可能である。
【符号の説明】
【００３０】
１  配線用遮断器
３  電線接続部
４  固定接触子
５  可動接触子
６  消弧装置
８  空間部
４２  固定接点
５２  可動接点
７２  係止部
７４  被係止部
【図１】
2017204428.tif 000003
【図２】
2017204428.tif 000004
【図３】
2017204428.tif 000005
【図４】
2017204428.tif 000006
【図５】
2017204428.tif 000007
【図６】
2017204428.tif 000008
【図７】
2017204428.tif 000009
【図８】
2017204428.tif 000010
【図９】
2017204428.tif 000011
【図１０】
2017204428.tif 000012
【図１１】
2017204428.tif 000013
【図１２】
2017204428.tif 000014
【図１３】
2017204428.tif 000015